(57)【要約】【課題】信頼性の高い領収書判定装置とその領収書を印刷する印刷装置を提供する。【解決手段】決済情報Ｍに基づいて領収書Ｒを印刷する印刷装置２０であって、前記印刷装置２０に対応する秘密鍵Ｐを生成する秘密鍵生成部２６と、前記秘密鍵Ｐに対応する公開鍵Ｑを生成する公開鍵生成部２７と、前記秘密鍵Ｐを記憶する秘密鍵記憶部２８と、前記公開鍵Ｑを送信する送信部２９と、を備え、前記秘密鍵Ｐに基づいて、前記決済情報Ｍを符号化して符号化決済情報Ｎを生成し、前記決済情報Ｍと、前記符号化決済情報Ｎと、を前記領収書Ｒに印刷する。【選択図】図１
2013218545.tif 000002
【特許請求の範囲】
【請求項１】
決済情報に基づいて領収書を印刷する印刷装置であって、
前記印刷装置に対応する秘密鍵を生成する秘密鍵生成部と、
前記秘密鍵に対応する公開鍵を生成する公開鍵生成部と、
前記秘密鍵を記憶する秘密鍵記憶部と、
前記公開鍵を送信する送信部と、を備え、
前記秘密鍵に基づいて、前記決済情報を符号化して符号化決済情報を生成し、前記決済情報と、前記符号化決済情報と、を前記領収書に印刷することを特徴とする印刷装置。
【請求項２】
公開鍵検索情報を記憶する公開鍵検索情報記憶部と、
前記公開鍵検索情報を受信する公開鍵検索情報受信部と、を備え、
前記公開鍵検索情報受信部によって受信した前記公開鍵検索情報を文字列記憶部に記憶し、前記決済情報の一部として前記公開鍵検索情報を前記領収書に印刷することを特徴とする請求項１に記載の印刷装置。
【請求項３】
請求項１または２に記載の印刷装置と、
前記印刷装置から送信された公開鍵を受信し、公開鍵記憶部に記憶する公開鍵サーバーと、
前記領収書に印刷されている前記符号化決済情報を読み取って、前記公開鍵サーバーに記憶されている前記公開鍵を用いて前記符号化決済情報を復号化して復号化決済情報を生成する復号装置と、を備え、
前記復号装置で得られた前記復号化決済情報と前記決済情報とを比較することによって前記領収書の正当性を判定することを特徴とする領収書判定装置。
【請求項４】
前記公開鍵サーバーは、前記公開鍵記憶部に前記公開鍵検索情報を記憶する文字列記憶領域を備え、
前記公開鍵と前記公開鍵検索情報を対応する形で記憶することを特徴とする請求項３に記載の領収書判定装置。
【請求項５】
前記復号装置は、前記復号化決済情報を表示する表示画面を有することを特徴とする請求項３または４に記載の領収書判定装置。
【請求項６】
公開鍵と秘密鍵を生成し、
決済情報を受信し、
前記決済情報を前記秘密鍵に基づいて符号化した符号化決済情報を生成し、
前記決済情報と前記符号化決済情報と、を印刷することを特徴とした領収書判定方法。
【発明の詳細な説明】
【技術分野】
【０００１】
本発明は、印刷装置、この印刷装置で印刷された領収書の領収書判定装置、及び領収書の印刷方法に関する。
【背景技術】
【０００２】
物品の購買に伴い、購入した商品の小計や、税金や、小計と税金とを加算した合計金額などを算出し、それら算出した情報、及び商品名、個数、店舗の属性情報（店名、電話番号、担当者など）を印刷した領収書が発行される。領収書に基づく経理処理や、税務処理において、提出された領収書がその領収書に記載されている店舗で正規に発行されたものであるか判定する場合がある。そのため、例えば、特許文献１に記載されているように、電子レジスターが購入明細情報とともに署名済み購入明細情報の２次元バーコードと、店舗の電子証明書の２次元バーコードを印刷する電子レジスターが知られていた。
【先行技術文献】
【特許文献】
【０００３】
【特許文献１】特開２００８−９０５９６号公報
【発明の概要】
【発明が解決しようとする課題】
【０００４】
しかしながら、特許文献１に記載の電子レジスターおよび領収書判定装置では、購入明細情報と署名済み購入明細情報とを同時に改ざんされた場合に、領収書に基づいて経理処理を行う会社や、税務処理を行う税務署などでは、提出された領収書がその領収書に記載されている店舗で正規に発行されたものであるかどうかを判定することが難しいという課題があった。
【課題を解決するための手段】
【０００５】
本発明は、上述の課題の少なくとも一部を解決するためになされたものであり、以下の形態または適用例として実現することが可能である。
【０００６】
（適用例１）決済情報に基づいて領収書を印刷する印刷装置であって、前記印刷装置に対応する秘密鍵を生成する秘密鍵生成部と、前記秘密鍵に対応する公開鍵を生成する公開鍵生成部と、前記秘密鍵を記憶する秘密鍵記憶部と、前記公開鍵を送信する送信部と、を備え、前記秘密鍵に基づいて、前記決済情報を符号化して符号化決済情報を生成し、前記決済情報と、前記符号化決済情報と、を前記領収書に印刷することを特徴とする印刷装置。
【０００７】
この構成によれば、印刷装置は、秘密鍵及び公開鍵を内部で生成することができ、内部に記憶される秘密鍵に基づいて符号化決済情報を生成し、領収書に決済情報とともに印刷することができる。そのため、不正に捏造される虞の少ない信頼性の高い符号化決済情報を得ることができる。その結果、領収書の改ざんを防止することができる。
【０００８】
（適用例２）公開鍵検索情報を記憶する公開鍵検索情報記憶部と、前記公開鍵検索情報を受信する公開鍵検索情報受信部と、を備え、前記公開鍵検索情報受信部によって受信した前記公開鍵検索情報を文字列記憶部に記憶し、前記決済情報の一部として前記公開鍵検索情報を前記領収書に印刷することを特徴とする上記の印刷装置。
【０００９】
この構成によれば、印刷装置は、公開鍵検索情報受信部によって受信した公開鍵検索情報を文字列記憶部に記憶し、決済情報の一部として公開鍵検索情報を領収書に印刷することができる。印刷装置は、秘密鍵に対応する公開鍵を容易に検索することができ、領収書に印刷された符号化決済情報を復号化することができ、復号化決済情報を生成することができる。そのため、復号化決済情報と領収書に印刷された決済情報とを比較することによって領収書の正当性を判定することができる。
【００１０】
（適用例３）上記の印刷装置と、前記印刷装置から送信された前記公開鍵を受信し、公開鍵記憶部に記憶する公開鍵サーバーと、前記領収書に印刷されている前記符号化決済情報を読み取って、前記公開鍵サーバーに記憶されている前記公開鍵を用いて前記符号化決済情報を復号化して復号化決済情報を生成する復号装置と、を備え、前記復号装置で得られた前記復号化決済情報と前記決済情報とを比較することによって前記領収書の正当性を判定することを特徴とする領収書判定装置。
【００１１】
（適用例４）前記公開鍵サーバーは、前記公開鍵記憶部に前記公開鍵検索情報を記憶する文字列記憶領域を備え、前記公開鍵と前記公開鍵検索情報を対応する形で記憶することを特徴とする上記の領収書判定装置。
【００１２】
これらの構成によれば、印刷装置の内部で生成された秘密鍵及び公開鍵を用い、符号化決済情報を領収書に決済情報とともに印刷することができる。また、秘密鍵に対応する公開鍵は、公開鍵サーバーに送信され記憶される。そのため、領収書上に印刷された公開鍵検索情報を元に、公開鍵サーバーの公開鍵記憶部に記憶された公開鍵の中から、領収書に対応する公開鍵を検索することが容易になる。
【００１３】
復号装置は、その公開鍵を用いて領収書に印刷された符号化決済情報を復号化して復号化決済情報を生成することができる。そのため、復号装置で得られた復号化決済情報と領収書に印刷された決済情報とを比較することによって領収書の正当性を判定することができる。その結果、信頼性の高い領収書の判定を行うことができる。
【００１４】
（適用例５）前記復号装置は、前記復号化決済情報を表示する表示画面を有することを特徴とする上記の領収書判定装置。
【００１５】
この構成によれば、表示画面に表示された復号化決済情報と、領収書に印刷された決済情報とを目視で比較することができる。
【００１６】
（適用例６）公開鍵と秘密鍵を生成し、決済情報を受信し、前記決済情報を前記秘密鍵に基づいて符号化した符号化決済情報を生成し、前記決済情報と前記符号化決済情報と、を印刷することを特徴とした領収書判定方法。
【００１７】
この方法によれば、秘密鍵及び公開鍵を生成することができ、秘密鍵に基づいて符号化決済情報を生成し、領収書に決済情報とともに印刷することができる。そのため、不正に捏造される虞の少ない符号化決済情報を得ることができる。
【図面の簡単な説明】
【００１８】
【図１】実施例１における領収書判定装置の構成例を示す図。
【図２】実施例１、２、４における印刷された領収書のイメージを示す図。
【図３】実施例２における領収書判定装置の構成例を示す図。
【図４】実施例３における領収書判定装置の構成例を示す図。
【図５】実施例３における印刷された領収書のイメージを示す図。
【図６】実施例４における領収書判定装置の構成例を示す図。
【発明を実施するための形態】
【００１９】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２０】
（印刷装置を含む領収書判定装置について）
（実施例１）
実施例１における印刷装置を含む領収書判定装置について、図１及び図２を参照して説明する。図１は、実施例１における領収書判定装置の構成例を示す図であり、図２は、印刷された領収書のイメージを示す図である。この領収書判定装置は、商品等の売買の成立に伴い、領収書としてのレシートを印刷装置としてのプリンターで発行するとともに、発行されるレシートが正規に発行されたものか否かを判定するためのものである。
【００２１】
図１に示すように、領収書判定装置１０（１０ａ）は、プリンター２０と、公開鍵サーバー３０と、復号装置４０と、ＰＣ５０とを有する。プリンター２０は、受信部２２と、印刷部２４と、秘密鍵生成部２６と、公開鍵生成部２７と、秘密鍵記憶部２８と、送信部２９とを備える。プリンター２０は、受信部２２を介してＰＣ５０に接続されている。プリンター２０は、ＰＣ５０から商品等の売買に伴う決済情報Ｍ等の印刷データを受信して記録用紙にその情報等を印刷して、レシートＲとして発行する。また、プリンター２０は、上記の決済情報Ｍ以外に符号化決済情報ＮをレシートＲに印刷する。
【００２２】
プリンター２０は、例えば、プリンター２０の出荷時に、秘密鍵生成部２６によって固有の秘密鍵Ｐと、公開鍵生成部２７によって秘密鍵Ｐに対応する公開鍵Ｑとを生成する。秘密鍵Ｐは、秘密鍵記憶部２８に記憶され、公開鍵Ｑは送信部２９を通じて、後述する公開鍵サーバー３０に送信される。
【００２３】
そして、商取引において商品の売買が成立すると、プリンター２０は、受信部２２を介して決済情報Ｍを受信する。ここで言う決済情報Ｍとは、購入した商品の小計や、税金や、小計と税金とを加算した合計金額等の情報、及び商品名、店舗の属性情報等である。プリンター２０は、決済情報Ｍを受信すると、秘密鍵記憶部２８が記憶するプリンター２０固有の秘密鍵Ｐを用いて、決済情報Ｍから符号化した符号化決済情報Ｎを生成する。
【００２４】
次いで、図２に示すように、プリンター２０は、印刷部２４を用いて、レシートＲ上に決済情報Ｍと符号化決済情報Ｎとを印刷し発行する。この際、決済情報Ｍは通常見られるように文字情報として人間に可読な形式とする。符号化決済情報Ｎは、例えばバーコードとして印刷される。なお、符号化決済情報Ｎは、通常のバーコードに限定されず、２次元コードであってもよいし、電子透かし情報であってもよい。
【００２５】
図１に示すように、前述の公開鍵サーバー３０は、受信部３２と、公開鍵記憶部３４と、送信部３６とを備える。前述のように、公開鍵Ｑは、プリンター２０の送信部２９を通じて公開鍵サーバー３０に送信される。公開鍵サーバー３０に送信された公開鍵Ｑは、公開鍵サーバー３０の受信部３２によって受信され、公開鍵記憶部３４に記憶される。なお、公開鍵Ｑは、後述する復号装置４０に送信部３６を介して送信することができる。
【００２６】
復号装置４０は、読取装置４２と、受信部４４と、復号部４６と、表示画面４８とを備える。読取装置４２は、例えばバーコードリーダー等が好適に用いられる。表示画面４８は、例えば液晶表示パネル等が好適に用いられる。復号装置４０は、プリンター２０で発行されたレシートＲが正規に発行されたものか否かを判定する機能を有する。
【００２７】
以下、レシートＲの判定作業について説明する。
判定の必要のあるレシートＲを入手すると、ユーザーは、復号装置４０の読取装置４２を用いて、レシートＲに印刷されている符号化決済情報Ｎを読み取る。そして、復号装置４０は、受信部４４にて、公開鍵サーバー３０に記憶された公開鍵Ｑを受信する。復号装置４０は、読取装置４２にて読み取られた符号化決済情報Ｎを、受信部４４にて受信した公開鍵Ｑを用いて復号化し、図２に示すレシートＲに印刷された決済情報Ｍのように人間に可読な形式の復号化決済情報Ｌとして表示画面４８に表示する。ユーザーは、レシートＲに印刷された決済情報Ｍと、表示画面４８上に表示された復号化決済情報Ｌ、すなわち、復号化された符号化決済情報Ｎとを比較する。
【００２８】
レシートＲに印刷された決済情報Ｍと表示画面４８上に表示された復号化決済情報Ｌとが同一であれば、このレシートＲは正規に発行されたものであると判断する。レシートＲに印刷された決済情報Ｍと表示画面４８上に表示された復号化決済情報Ｌとに異なる部分が見出されたときは、このレシートＲが改ざんされた可能性があると判断する。このようにして、レシートＲが改ざんされていないか検証を行うことができる。
【００２９】
以上の手順によって、決済情報Ｍを偽装した場合はユーザーの目視検査によって発覚し、秘密鍵Ｐを偽造した場合は公開鍵サーバー３０に記憶される公開鍵Ｑと一致しないために発覚する。このようにしてレシートＲの偽造や改ざんが防止できる。
【００３０】
（実施例２）
ここで、実施例２の領収書判定装置について図３を参照して説明する。図３は、実施例２における領収書判定装置の構成例を示す図である。なお、実施例２は、実施例１に対して、実施例１における復号装置４０を、比較装置６０に置き換えた例である。また、実施例１と同様な構成および内容については、符号を等しくして説明を省略する。
【００３１】
図３に示すように、比較装置６０は、読取装置６２と、受信部６４と、復号部６６と、ＯＣＲ７０と、比較部７２と、表示画面６８とを備える。
【００３２】
読取装置６２にてレシートＲ上の、決済情報Ｍの濃淡画像と、符号化決済情報Ｎを読み取る。受信部６４にて、公開鍵サーバー３０に記憶された公開鍵Ｑを受信する。読取装置６２にて読み取られた符号化決済情報Ｎを、受信部６４にて受信した公開鍵Ｑを用いて復号化し、比較部７２を用いて、ＯＣＲ７０にて決済情報Ｍの濃淡画像から読解した決済情報Ｍと比較し、比較結果Ｓを表示画面６８に表示する。ユーザーは、表示画面６８上の比較結果Ｓを確認することで、レシートＲが改ざんされていないか検証を行うことができる。
【００３３】
ＯＣＲ７０における読解は、例えば、決済情報Ｍの濃淡画像を細かく分割し、分割した各部分と、ＯＣＲ７０が持つ文字の候補の画像全てとを比較して、分割した各部分に対応するもっとも確からしい文字の候補を決定することで、為される。
【００３４】
以上の手順によって、実施例２では、実施例１よりも検証を行うユーザー負担が少ないシステムを構成することができる。
【００３５】
（実施例３）
ここで、実施例３の領収書判定装置について図４を参照して説明する。図４は、実施例３における領収書判定装置の構成例を示す図である。なお、実施例３は、実施例１に対して、実施例１におけるプリンター２０を、プリンター２０ｂに置き換え、公開鍵サーバー３０を、公開鍵サーバー３０ｂに置き換え、復号装置４０を、復号装置４０ｂに置き換え、レシートＲを、レシートＲ’に置き換えたものである。プリンター２０ｂは、プリンター２０に、秘密鍵＆検索情報記憶部８２と、検索情報生成部８０とを、追加したものである。公開鍵サーバー３０ｂは、公開鍵サーバー３０に、受信部８５を追加し、公開鍵記憶部３４を公開鍵＆検索情報記憶部８４に置き換えたものである。復号装置４０ｂは、復号装置４０に、送信部８６を追加したものである。レシートＲ’は、レシートＲに、検索情報Ｏを追加したものである。実施例１と同様な構成および内容については、符号を等しくして説明を省略する。
【００３６】
プリンター２０ｂは、ＰＣ５０から商品等の売買に伴う決済情報Ｍ等の印刷データを受信して記録用紙にその情報等を印刷して、レシートＲ’として発行する。また、プリンター２０ｂは、上記の決済情報Ｍ以外に、符号化決済情報Ｎと検索情報Ｏを、レシートＲ’に印刷する。
【００３７】
プリンター２０ｂは、例えば、プリンター２０ｂの出荷時に、秘密鍵生成部２６によって固有の秘密鍵Ｐと、公開鍵生成部２７によって秘密鍵Ｐに対応する公開鍵Ｑと、検索情報生成部８０によって公開鍵Ｑに対応する検索情報Ｏとを、生成する。秘密鍵Ｐは、検索情報Ｏと共に、秘密鍵＆検索情報記憶部８２に記憶され、公開鍵Ｑは、検索情報Ｏと共に、送信部２９を通じて、後述する公開鍵サーバー３０ｂに送信される。
【００３８】
図５に示すように、プリンター２０ｂは、印刷部２４を用いて、レシートＲ’上に決済情報Ｍと符号化決済情報Ｎと検索情報Ｏとを印刷し発行する。この際、決済情報Ｍは通常見られるように文字情報として人間に可読な形式とする。符号化決済情報Ｎと検索情報Ｏとは、例えばバーコードとして印刷される。なお、符号化決済情報Ｎと検索情報Ｏとは、通常のバーコードに限定されず、２次元コードであってもよいし、電子透かし情報であってもよい。
【００３９】
図４に示すように、前述の公開鍵サーバー３０ｂは、受信部３２と、公開鍵＆検索情報記憶部８４と、送信部３６とを備える。前述のように、公開鍵Ｑと検索情報Ｏとは、プリンター２０ｂの送信部２９を通じて公開鍵サーバー３０ｂに送信される。公開鍵サーバー３０ｂに送信された公開鍵Ｑと検索情報Ｏとは、公開鍵サーバー３０ｂの受信部３２によって受信され、公開鍵＆検索情報記憶部８４に記憶される。なお、公開鍵Ｑは、後述する復号装置４０ｂに送信部３６を介して送信することができる。
【００４０】
復号装置４０ｂは、読取装置４２と、受信部４４と、復号部４６と、表示画面４８と、送信部８６とを備える。読取装置４２は、例えばバーコードリーダー等が好適に用いられる。表示画面４８は、例えば液晶表示パネル等が好適に用いられる。復号装置４０ｂは、プリンター２０ｂで発行されたレシートＲ’が正規に発行されたものか否かを判定する機能を有する。
【００４１】
以下、レシートＲ’の判定作業について説明する。
判定の必要のあるレシートＲ’を入手すると、ユーザーは、復号装置４０ｂの読取装置４２を用いて、レシートＲ’に印刷されている符号化決済情報Ｎと検索情報Ｏとを読み取る。そして、復号装置４０ｂは、送信部８６にて、公開鍵サーバー３０ｂへ検索情報Ｏを送信する。公開鍵サーバー３０ｂは、検索情報Ｏに対応する公開鍵Ｑを送信し、復号装置４０ｂは、受信部４４にて、公開鍵Ｑを受信する。
【００４２】
復号装置４０ｂは、読取装置４２にて読み取られた符号化決済情報Ｎを、受信部４４にて受信した公開鍵Ｑを用いて復号化し、図５に示すレシートＲ’に印刷された決済情報Ｍのように人間に可読な形式の復号化決済情報Ｌとして表示画面４８に表示する。ユーザーは、レシートＲ’に印刷された決済情報Ｍと、表示画面４８上に表示された復号化決済情報Ｌ、すなわち、復号化された符号化決済情報Ｎとを比較する。
【００４３】
以上の手順によって、実施例３では、実施例１の効果に加えて、公開鍵サーバー３０ｂが複数の公開鍵を区別することと、公開鍵とプリンターを対応づけることとが、可能になり、１つの公開鍵サーバーと、複数のプリンターを、混同することなく対応付けることが可能になる。
【００４４】
（実施例４）
実施例４の領収書判定装置について図６を参照して説明する。図６は、実施例４における領収書判定装置の構成例を示す図である。なお、実施例４は、実施例２に対して、実施例２における公開鍵サーバー３０と比較装置６０との組合せを、レシート検証サーバー９０とＰＣ９５との組合せに、置き換えたものである。実施例２と同様な構成および内容については、符号を等しくして説明を省略する。
【００４５】
図６に示すように、レシート検証サーバー９０は、受信部３２ｂと、公開鍵記憶部３４ｂと、送信部９２とを備える。公開鍵Ｑは、プリンター２０の送信部２９を通じてレシート検証サーバー９０に送信される。レシート検証サーバー９０に送信された公開鍵Ｑは、レシート検証サーバー９０の受信部３２ｂによって受信され、公開鍵記憶部３４ｂに記憶される。
ＰＣ９５は、読取装置６２ｂと、表示画面６８ｂと、送信部９６と、受信部９７とを備える。ＰＣ９５とレシート検証サーバー９０は、ＰＣ９５の送信部９６とレシート検証サーバーの受信部９１とで接続される。また、ＰＣ９５の受信部９７とレシート検証サーバー９０の送信部９２とでも接続される。送信部９６と受信部９１との接続と、受信部９７と送信部９２との接続は、半二重通信あるいは全二重通信を実現する単一の機構であっても良い。
【００４６】
図６に示すように、前述のレシート検証サーバー９０は、受信部３２ｂと、公開鍵記憶部３４ｂと、送信部９２とを備える。公開鍵Ｑは、プリンター２０の送信部２９を通じてレシート検証サーバー９０に送信される。レシート検証サーバー９０に送信された公開鍵Ｑは、レシート検証サーバー９０の受信部３２ｂによって受信され、公開鍵記憶部３４ｂに記憶される。
【００４７】
読取装置６２ｂにてレシートＲ上の、決済情報Ｍの濃淡画像と、符号化決済情報Ｎを読み取る。受信部９７にて、レシート検証サーバー９０に記憶された公開鍵Ｑを受信する。読取装置６２ｂにて読み取られた符号化決済情報Ｎと決済情報Ｍの濃淡画像とを、ＰＣ９５の送信部９６を通じて、レシート検証サーバー９０に送信する。
【００４８】
レシート検証サーバー９０は、受信部９１にて受信した符号化決済情報Ｎを、公開鍵記憶部３４ｂに記憶された公開鍵Ｑを用いて復号化する。また、レシート検証サーバー９０は、受信部９１にて受信した決済情報Ｍの濃淡画像を、ＯＣＲ７０ｂにて読解し、決済情報Ｍを得る。レシート検証サーバー９０は、復号化された符号化決済情報Ｎと、決済情報Ｍとを、比較部７２ｂにて比較し、送信部９２を通じてＰＣ９５へ送信する。
【００４９】
ＰＣ９５は、ＰＣ９５の受信部９７にて比較結果Ｓを受信し、表示画面６８ｂに表示する。ユーザーは、表示画面６８ｂ上の比較結果Ｓを確認することで、レシートＲが改ざんされていないか検証を行うことができる。
【００５０】
以上の手順によって、実施例４では、公開鍵Ｑと秘密鍵Ｐを、店主や顧客から隠ぺいされるため、実施例２よりも、改ざんをより困難にすることができる。
【符号の説明】
【００５１】
１０ａ…実施例１の領収書判定装置、２０…プリンター、２２…プリンター２０の受信部、２４…プリンター２０の印刷部、２６…プリンター２０の秘密鍵生成部、２７…プリンター２０の公開鍵生成部、２８…プリンター２０の秘密鍵記憶部、２９…プリンター２０の送信部、３０…公開鍵サーバー、３２…公開鍵サーバー３０の受信部、３４…公開鍵サーバー３０の公開鍵記憶部、３６…公開鍵サーバー３０の送信部、４０…復号装置、４２…復号装置４０の読取装置、５０…ＰＣ、Ｒ…実施例１のレシート、Ｍ…レシートＲ上の決済情報、Ｎ…レシートＲ上の符号化決済情報、１０ｂ…実施例２の領収書判定装置、６０…実施例２の比較装置、６２…比較装置６０の読取装置、６４…比較装置６０の受信部、６６…比較装置６０の復号部、６８…比較装置６０の表示画面、７０…比較装置６０のＯＣＲ、７２…比較装置６０の比較部、２０ｂ…実施例３のプリンター、８０…プリンター２０ｂの検索情報生成部、８２…プリンター２０ｂの秘密鍵＆検索情報記憶部、１０ｃ…実施例３の領収書判定装置、３０ｂ…実施例３の公開鍵サーバー、８４…公開鍵サーバー３０ｂの公開鍵＆検索情報記憶部、８５…公開鍵サーバー３０ｂの受信部、４０ｂ…実施例３の復号装置、８６…復号装置４０ｂの送信部、Ｒ’…実施例３のレシート、Ｏ…レシートＲ上の検索情報、１０ｄ…実施例４の領収書判定装置、９０…実施例４のレシート検証サーバー、３２ｂ…レシート検証サーバー９０の受信部、３４ｂ…レシート検証サーバー９０の公開鍵記憶部、６６ｂ…レシート検証サーバー９０の復号部、７０ｂ…レシート検証サーバー９０のＯＣＲ、７２ｂ…レシート検証サーバー９０の比較部、９１…レシート検証サーバー９０の受信部、９２…レシート検証サーバー９０の送信部、９５…実施例４のＰＣ、６２ｂ…ＰＣ９５の読取装置、９６…ＰＣ９５の送信部、９７…ＰＣ９５の受信部、６８ｂ…ＰＣ９５の表示画面。
【図１】
2013218545.tif 000003
【図２】
2013218545.tif 000004
【図３】
2013218545.tif 000005
【図４】
2013218545.tif 000006
【図５】
2013218545.tif 000007
【図６】
2013218545.tif 000008